(57)【特許請求の範囲】
【請求項１】
底板の周縁部に側壁が設けられて前面が開放されたケースと、
上記ケースと一体に成形されて上記底板の裏面から突出し、上記ケースを壁に装着する装着用の締結具が挿通される取付座を構成する装着用突出部と、
上記ケースと一体に成形されて上記底板の表面から突出し、電装品が装着される取付座を構成する電装用突出部と、
上記底板の裏面から突出する突出部と、
上記底板及び上記突出部を貫通して設けられて、一側は上記突出部の突出先端面に開口し、他側は上記一側よりも上昇した位置に配置されて上記ケース内に開口した傾斜通線孔と、
を備えたエレベーター用操作盤。
【発明の詳細な説明】
【０００１】
【発明の属する技術分野】
この発明は、操作用押し釦、表示灯等が設けられて主として乗場の壁面に底面が対面した状態に装着されるエレベーター用操作盤に関する。
【０００２】
【従来の技術】
図６は、例えば特開平５−１９３８４９号公報に示されたエレベーター用の表面取付型表示素子に類似した従来のエレベーター用操作盤を示す縦断側面図である。図において、１はエレベーター乗場の壁、２は壁１の前面、３は壁１に設けられた通線孔、４は壁１の前面２に重合状態に配置された底板で、底板面に挿通された締結具５によって壁１に締結され、上下方向縁部に前方に突出する突出片６が設けられている。
【０００３】
７は底板４を覆って配置される表板体で、背面が開口した箱状をなし側壁に設けられた係止ピン８が突出片６に係止することによって底板４に装着される。９は底板４に設けられた装着具で、底板４から立設されたねじ棒１０、ねじ棒１０に嵌合されて基部寄りに配置された筒体１１及びねじ棒１０の先端にねじ込まれたナット１２によって構成されている。
【０００４】
１３は筒体１１及びナット１２の間に配置されて装着具９により表板体７内に装備された表示器基板、１４は表示器基板１３に装着された表示灯、１５は透光板からなり表板体７に設けられた空所に嵌合されて表示灯１３に対向して配置された表示板、１６は筒体１１及びナット１２の間に配置されて装着具９により表板体７内に装備された押し釦基板、１７は押圧部が表板体７に設けられた貫通孔に嵌合されて押し釦基板１６に装着された押し釦である。
【０００５】
１８は表示器基板１３に設けられた表示器用コネクタ、１９は押し釦基板１６に設けられた押し釦用コネクタ、２０は表示器用コネクタ１８及び押し釦用コネクタ１９にそれぞれ接続されて通線孔３を経てエレベーターの制御盤（図示しない）に接続された複数本の制御、表示用のケーブルである。
【０００６】
従来のエレベーター用操作盤は上記のように構成され、底板４は裏面が壁１の前面２に密着して配置されて締結具５によって壁１に締結される。また、装着具９は底板４に立設されたねじ棒１０によって形成される。さらに、外側から底板４に嵌合した状態に表板体７が配置されて装着されるようになっている。
【０００７】
【発明が解決しようとする課題】
上記のような従来のエレベーター用操作盤において、底板４が壁１の前面２に密着して配置されるため、前面２が凹凸のある不整表面であった場合には、底板４を歪みなしに正常に装着できず、前面２を滑らかに加工したり、装着のためのスペーサを挿入したりすることになって煩雑な手数が掛かるという問題点があった。
【０００８】
また、装着具９のために多数のねじ棒１０が溶接されて立設されるので、多くの加工時間を要し、また表板体７が外側から底板４に嵌合した状態に配置されるので、表板体７と底板４との間に隙間の発生が避けられず、場合によって雨水等が侵入する恐れがあった。
【０００９】
この発明は、かかる問題点を解消するためになされたものであり、容易に製作できると共に、不整表面の壁に不具合なく装着でき、雨水等の侵入を防止できるエレベーター用操作盤を得ることを目的とする。
【００１０】
【課題を解決するための手段】
この発明に係るエレベーター用操作盤においては、底板の周縁部に側壁が設けられて前面が開放されたケースと、ケースと一体に成形されて底板の裏面から突出し、ケースを壁に装着する装着用の締結具が挿通される取付座を構成する装着用突出部と、ケースと一体に成形されて底板の表面から突出し、電装品が装着される取付座を構成する電装用突出部と、底板の裏面から突出する突出部と、底板及び突出部を貫通して設けられて、一側は突出部の突出先端面に開口し、他側は一側よりも上昇した位置に配置されてケース内に開口した傾斜通線孔とが設けられる。
【００１１】
【発明の実施の形態】
実施の形態１．
図１は、この発明の前提となる発明の実施の形態の一例を示す縦断側面図である。図において、１はエレベーター乗場の壁、２は壁１の前面、３は壁１に設けられた通線孔、２１はケースで、底板２２及び底板２２の周縁部に側壁２３が設けられて前面が開放されている。２４は装着用突出部で、ケース２１と一体に成形されて底板２２の裏面から突出し装着用の締結具５が挿通される取付座を構成し、また後述するケーブル２０の挿通孔の縁部を形成する。
【００１２】
２５は電装用突出部で、ケース２１と一体に成形されて底板２２の表面から突出し後述する押し釦等の電装品が装着される取付座を構成する。８は上下の側壁２３にそれぞれ設けられて底板２２面に沿う方向に設けられた係止ピン、２６はケース２１の前面開放部に配置された表板で、側壁２３の前端面内側に設けられた凹所２７に嵌合されて上下縁部にそれぞれ設けられた突出片６を介して係止ピン８に係止されてケース２１に装着される。
【００１３】
２８は表示器からなる第一電装品で、上側の電装用突出部２５に取付ねじ２９によって締結された基板３０及び基板３０に設けられた表示灯３１によって構成されている。１５は透光板からなり表体２６に設けられた空所に嵌合されて表示灯３１に対向して配置された表示板、３２は押し釦からなる第二電装品で、下側の電装用突出部２５に取付ねじ３３によって締結された基板３４及び基板３４に設けられた押し釦３５によって構成されている。
【００１４】
１８は表示器の基板３０に設けられた表示器用コネクタ、１９は押し釦の基板３４に設けられた押し釦用コネクタ、２０は表示器用コネクタ１８及び押し釦用コネクタ１９にそれぞれ接続されて通線孔３を経てエレベーターの制御盤（図示しない）に接続された複数本の制御、表示用のケーブルである。
なお、３６は壁１の前面２に形成された凹凸、すなわち不整表面である。
【００１５】
上記のように構成されたエレベーター用操作盤において、底板２２の裏面から突出して形成された装着用突出部２４を介して、締結具５によってケース２１が壁１の前面２に装着される。このため、壁１の前面２が不整表面３６である場合にも、装着用突出部２４のみが前面２と対向するので、ケース２１を歪みなしに容易に正常に装着することができる。したがって、前面２を滑らかに加工したり、装着のためのスペーサを挿入したりする手数を省くことができエレベーター用操作盤の装着作業の能率を向上することができる。
【００１６】
また、装着用突出部２４並びに第一電装品２８及び第二電装品３２が締結された電装用突出部２５がケース２１と一体に成形されるので、部品数が少なくなり製作及び組立の作業を簡略化することができ、生産性を向上することができる。また、ケース２１の底板２２が壁１の前面２から離れて配置されるので前面２をつたう雨水等がケース２１内に侵入することがなく、第一電装品２８及び第二電装品３２に雨水等による絶縁不良等の不具合の発生を未然に防止することができる。
【００１７】
図２及び図３は、この発明の前提となる発明の他の実施の形態の一例を示す図で、図２は縦断側面図、図３は図２の矢印Ａ箇所におけるケースの裏面図である。図において、前述の図１と同符号は相当部分を示し、３７は流水溝で、ケース２１側壁２３外面の壁１前面２側の縁部、すなわち底板２２寄り縁部外面の長手に沿って設けられた引退凹所によって構成されている。また、流水溝３７は図３に示すようにケース２１の上面に延長されて、上面の中央から両側の側壁２３に向かって下方に傾斜して形成されている。
【００１８】
上記のように構成されたエレベーター用操作盤においても、ケース２１と一体の装着用突出部２４が設けられ、またケース２１と一体の電装用突出部２５に第一電装品２８、第二電装品３２が締結される。したがって、詳細な説明を省略するが図２の実施の形態においても図１の実施の形態と同様な作用が得られる。
【００１９】
また、図２及び図３の実施の形態において、ケース２１側壁２３外面の壁１前面２寄りに流水溝３７が設けられるので、壁１前面２を流下した雨水等が流水溝３７の傾斜に沿って下方へ誘導されて、さらにエレベーター用操作盤よりも下方に流れる。これにより、壁１前面２を流下した雨水等が側壁２３をつたって、側壁２３と表板２６の隙間からケース２１に侵入することを防止することができる。したがって、雨水等がケース２１に侵入して第一電装品２８及び第二電装品３２に生じる絶縁不良等の不具合を未然に防止することができる。
【００２０】
図４も、この発明の前提となる発明の他の実施の形態の一例を示す縦断側面図である。図において、前述の図１と同符号は相当部分を示し、３８は排水凹所であり、ケース２１の装着用突出部２４における突出先端面からケース２１内に到達することなく引退して設けられて、装着用突出部２４に挿通された締結具５の周囲に形成されている。
【００２１】
上記のように構成されたエレベーター用操作盤においても、ケース２１と一体の装着用突出部２４が設けられ、またケース２１と一体の電装用突出部２５に第一電装品２８、第二電装品３２が締結される。したがって、詳細な説明を省略するが図４の実施の形態においても図１の実施の形態と同様な作用が得られる。
【００２２】
また、図４の実施の形態において、ケース２１の装着用突出部２４における突出先端面に排水凹所３８が設けられる。このため、壁１前面２を流下した雨水等が壁１前面２とケース２１側壁２３の隙間へ侵入し、さらに壁１前面２と装着用突出部２４の隙間へ侵入した場合に、排水凹所３８を経て下方に流れる。
【００２３】
これにより、雨水等が壁１前面２と装着用突出部２４の隙間へ侵入したときに、装着用突出部２４における締結具５とその挿通孔の隙間からケース２１内に侵入することを防止することができる。したがって、雨水等がケース２１に侵入して第一電装品２８及び第二電装品３２に生じる絶縁不良等の不具合を未然に防止することができる。
【００２４】
図５は、この発明の実施の形態１を示す縦断側面図である。図において、前述の図１と同符号は相当部分を示し、３９は傾斜通線孔で、ケース２１の底板２２及び装着用突出部２４を貫通して設けられて、一側は壁１の通線孔３に対向して配置されて他側は壁１の通線孔３位置よりも上昇した位置に配置されてケース２１内に開口して設置されている。
【００２５】
上記のように構成されたエレベーター用操作盤においても、ケース２１と一体の装着用突出部２４が設けられ、またケース２１と一体の電装用突出部２５に第一電装品２８、第二電装品３２が締結される。したがって、詳細な説明を省略するが図５の実施の形態においても図１の実施の形態と同様な作用が得られる。
【００２６】
また、図５の実施の形態において、ケース２１内側がケース２１外側よりも上昇した傾斜通線孔３９が設けられてケーブル２０が挿通される。このため、壁１前面２を流下した雨水等が壁１前面２とケース２１側壁２３の隙間へ侵入し、さらに壁１前面２と傾斜通線孔３９周囲の装着用突出部２４との隙間へ侵入した場合に、傾斜通線孔３９によってケース２１内への侵入が阻止される。
【００２７】
これにより、雨水等が壁１前面２と傾斜通線孔３９周囲の装着用突出部２４との隙間へ侵入したときに、傾斜通線孔３９とケーブル２０の間の隙間からケース２１内に侵入することを防止することができる。したがって、雨水等がケース２１に侵入して第一電装品２８及び第二電装品３２に生じる絶縁不良等の不具合を未然に防止することができる。
【００２８】
【発明の効果】
この発明は以上説明したように、底板の周縁部に側壁が設けられて前面が開放されたケースと、ケースと一体に成形されて底板の裏面から突出し、ケースを壁に装着する装着用の締結具が挿通される取付座を構成する装着用突出部と、ケースと一体に成形されて底板の表面から突出し、電装品が装着される取付座を構成する電装用突出部と、底板の裏面から突出する突出部と、底板及び突出部を貫通して設けられて、一側は突出部の突出先端面に開口し、他側は一側よりも上昇した位置に配置されてケース内に開口した傾斜通線孔とを設けたものである。
【００２９】
これによって、裏面から突出した装着用突出部を介して、ケースが壁面に装着されるので、壁面が不整表面であってもケースを容易に正常に装着することができ装着作業の能率を向上する効果がある。また、装着用突出部及び電装品が締結された電装用突出部がケースと一体に成形されるので、部品数が少なくなり製作及び組立の作業を簡略化することができ、生産性を向上する効果がある。
【００３０】
また、ケースの底板及び突出部を貫通し、ケース内側がケース外側よりも上昇した位置に配置された傾斜通線孔が設けられるので、エレベーター用操作盤が装着された壁面を流下した雨水等が壁面とケース側壁の隙間へ侵入し、さらに壁面と傾斜通線孔周囲の突出部の隙間へ侵入したときに、傾斜通線孔とケーブルの間の隙間からケース内に侵入することを防止することができる。したがって、雨水等がケースに侵入して電装品に生じる絶縁不良等の不具合を未然に防止する効果がある。
【図面の簡単な説明】
【図１】  この発明の前提となる発明の実施の形態を示す縦断側面図。
【図２】  この発明の前提となる発明の他の実施の形態を示す縦断側面図。
【図３】  図２の矢印Ａ箇所におけるケースの裏面図。
【図４】  この発明の前提となる発明の他の実施の形態を示す縦断側面図。
【図５】  この発明の実施の形態１を示す縦断側面図。
【図６】  従来のエレベーター用操作盤を示す縦断側面図。
【符号の説明】
５  締結具、２１  ケース、２２  底板、２３  側壁、２４  装着用突出部、２５  電装用突出部、２８  第一電装品、３２  第二電装品、３７  流水溝、３８  排水凹所、３９  傾斜通線孔。
【図１】
0003807828.tif 000002
【図２】
0003807828.tif 000003
【図３】
0003807828.tif 000004
【図４】
0003807828.tif 000005
【図５】
0003807828.tif 000006
【図６】
0003807828.tif 000007